(57)【要約】【課題】電源スイッチをオフとしなくても、直ちに、電源をオフとすることができる撮影装置および撮影装置の電源制御方法を提供する。【解決手段】被写体像を画像データに変換し出力する撮像部２と、画像データに基づいて被写体を表示する表示部８と、撮影者１５がカメラ１０の表示部８を観察可能な位置から表示部８を観察できない位置に移動させるひねり動作を検出する加速度検知部５を有し、加速度検知部５からの検知信号に基づいてひねり動作を検出した際に、カメラの電源をオフにする。【選択図】  図４
2010245732.tif 000002
【特許請求の範囲】
【請求項１】
被写体像を画像データに変換し出力する撮像部と、
上記画像データに基づいて被写体を表示する表示部と、
撮影者が上記表示部を観察可能な位置から上記表示部を観察できない位置に移動させるひねり動作を検出するひねり動作検出部と、
上記ひねり動作検出部によって上記ひねり動作を検出した際に、カメラの電源をオフする電源制御部と、
を有することを特徴とする撮影装置。
【請求項２】
さらに、加速度検知部を有し、
上記電源制御部は、上記ひねり動作を検知した後に、上記加速度検知部によって加速度を検知した際に、上記カメラの電源をオフする、
ことを特徴とする請求項１に記載の撮影装置。
【請求項３】
上記加速度検知部は、重力の掛かる方向の変化、または所定方向へのタップ操作を検知することを特徴とする請求項２に記載の撮影装置。
【請求項４】
上記電源制御部は、少なくとも第１および第２電源制御部を有し、上記ひねり動作を検知した場合には第１電源制御部による電源オフを実行し、上記加速度検知部による上記加速度を検知した場合には、上記第２電源制御部による電源オフを実行することを特徴する請求項２に記載の撮影装置。
【請求項５】
上記電源制御部は、上記ひねり動作を検知した後に、再度、ひねり動作を検知した場合には、上記電源オフを解除することを特徴とする請求項１に記載の撮影装置。
【請求項６】
上記電源制御部による電源オフ時に動画を撮影していた場合には、上記ひねり動作時に撮影した動画画像を消去して画像を記録する画像記録制御部を有することを特徴とする請求項１に記載の撮影装置。
【請求項７】
被写体を表示する表示部と、
カメラの動きを検知する動き検知部と、
上記動き検知部によって、上記表示部の観察位置から非観察位置への移動を検知した場合に、上記カメラの消費電力を低減する電源制御部と、
を有することを特徴とする撮影装置。
【請求項８】
上記電源制御部による電源オフ時に動画を撮影していた場合には、上記移動中に撮影した動画画像を消去して画像を記録する画像記録制御部を有することを特徴とする請求項７に記載の撮影装置。
【請求項９】
カメラの動きを検知する動き検知部と、
上記動き検知部によって第１の動き動作が行われた際に、上記カメラの消費電力の第１の低減を行う第１電源制御部と、
上記第１の動き動作に続いて、上記動き検知部第２の動き動作が検知された場合には、上記カメラの消費電力の第２の低減を行う第２電源制御部と、
を有することを特徴とする撮影装置。
【請求項１０】
上記第１の動きの動作について、再度、上記第１の動作を検知した場合には、上記第１の低減を解除することを特徴とする請求項９に記載の撮影装置。
【請求項１１】
上記カメラの消費電力の第１の低減の方が、上記第２の低減によりも大きいことを特徴とする請求項９に記載の撮影装置。
【請求項１２】
上記第１の動き動作は上記カメラのひねり動作、上記第２の動き動作は上記カメラの下ろし動作または上記カメラのタップ操作であることを特徴とする請求項９に記載の撮影装置。
【請求項１３】
画像データに基づいて被写体像を表示部に表示し、
カメラの動きを検知し、
上記表示部の観察位置から非観察位置への移動を検知した場合に、上記カメラの消費電力を低減する、
ことを特徴とする撮影装置の電源制御方法。
【請求項１４】
カメラの動きを検知し、
上記動きの検知の結果、第１の動き動作が行われたことを検知した場合には、上記カメラの消費電力の第１の低減を行い、
上記第１の動き動作に続いて、上記動き検知部第２の動き動作が検知された場合には、上記カメラの消費電力の第２の低減を行う、
ことを特徴とする撮影装置の電源制御方法。
【発明の詳細な説明】
【技術分野】
【０００１】
本発明は、所謂、デジタルカメラ、ビデオカメラ、カメラ付き携帯電話など、静止画や動画の撮影機能を有する撮影装置および撮影装置の電源制御方法の改良に関し、詳しくは、使用後にワンアクションで電源をオフにできるようにした撮影装置および撮影装置の電源制御方法に関する。
【背景技術】
【０００２】
カメラ等の撮影装置においては、不使用時にはこまめに電源をオフしないと、電源が消耗し、撮影コマ数が減少すると共に、結果的にはシャッタチャンスを逃すこともある。また、撮影時に撮影レンズ鏡枠が突出するタイプの撮影装置では、電源をオフにしないと、ポケットやカバン等にしまうことができない。さらに、レンズ保護バリアを有する撮影装置においても、電源をオフにしないとバリアが閉じない。
【０００３】
このように、撮影装置においては、不使用時には電源をオフにしておく必要があるが、電源のオフを忘れてしまうことがある。そこで、特許文献１には、手振れを検知し、手振れがない場合には、自動的にスリープモードに切り替える撮像装置が開示されている。
【先行技術文献】
【特許文献】
【０００４】
【特許文献１】特開２００７−２７９５５３号公報
【発明の概要】
【発明が解決しようとする課題】
【０００５】
特許文献１に開示の撮像装置では、手振れ等の振動がなくなってから、所定時間が経過しないと、スリープモードに切り替わらない。屋外でグローブや手袋をしている際には、電源スイッチが小さく電源オフとすることができない場合がある。このような場合に、撮影装置の電源を直ちにオフにしてポケットやカバン等に収納したい場合があるが、特許文献１に開示の撮像装置では、直ちに、電源をオフとすることができない。
【０００６】
本発明は、このような事情を鑑みてなされたものであり、電源スイッチをオフとしなくても、直ちに、電源をオフとすることができる撮影装置および撮影装置の電源制御方法を提供することを目的とする。
【課題を解決するための手段】
【０００７】
上記目的を達成するため第１の発明に係わる撮影装置は、被写体像を画像データに変換し出力する撮像部と、上記画像データに基づいて被写体を表示する表示部と、撮影者が上記表示部を観察可能な位置から上記表示部を観察できない位置に移動させるひねり動作を検出するひねり動作検出部と、上記ひねり動作検出部によって上記ひねり動作を検出した際に、カメラの電源をオフする電源制御部と、を有する。
【０００８】
第２の発明に係わる撮影装置は、上記第１の発明において、さらに、加速度検知部を有し、上記電源制御部は、上記ひねり動作を検知した後に、上記加速度検知部によって加速度を検知した際に、上記カメラの電源をオフする。
第３の発明に係わる撮影装置は、上記第２の発明において、上記加速度検知部は、重力の掛かる方向の変化、または所定方向へのタップ操作を検知する。
【０００９】
第４の発明に係わる撮影装置は、上記第２の発明において、上記電源制御部は、少なくとも第１および第２電源制御部を有し、上記ひねり動作を検知した場合には第１電源制御部による電源オフを実行し、上記加速度検知部による上記加速度を検知した場合には、上記第２電源制御部による電源オフを実行する。
第５の発明に係わる撮影装置は、上記第１の発明において、上記電源制御部は、上記ひねり動作を検知した後に、再度、ひねり動作を検知した場合には、上記電源オフを解除する。
第６の発明に係わる撮影装置は、上記第１の発明において、上記電源制御部による電源オフ時に動画を撮影していた場合には、上記ひねり動作時に撮影した動画画像を消去して画像を記録する画像記録制御部を有する。
【００１０】
第７の発明に係わる撮影装置は、被写体を表示する表示部と、カメラの動きを検知する動き検知部と、上記動き検知部によって、上記表示部の観察位置から非観察位置への移動を検知した場合に、上記カメラの消費電力を低減する電源制御部と、を有する。
第８の発明に係わる撮影装置は、上記第７の発明において、上記電源制御部による電源オフ時に動画を撮影していた場合には、上記移動中に撮影した動画画像を消去して画像を記録する画像記録制御部を有する。
【００１１】
第９の発明に係わる撮影装置は、カメラの動きを検知する動き検知部と、上記動き検知部によって第１の動き動作が行われた際に、上記カメラの消費電力の第１の低減を行う第１電源制御部と、上記第１の動き動作に続いて、上記動き検知部第２の動き動作が検知された場合には、上記カメラの消費電力の第２の低減を行う第２電源制御部と、を有する。
【００１２】
第１０の発明に係わる撮影装置は、上記第９の発明において、上記第１の動きの動作について、再度、上記第１の動作を検知した場合には、上記第１の低減を解除する。
第１１の発明に係わる撮影装置は、上記第９の発明において、上記カメラの消費電力の第１の低減の方が、上記第２の低減によりも大きい。
第１２の発明に係わる撮影装置は、上記第９の発明において、上記第１の動き動作は上記カメラのひねり動作、上記第２の動き動作は上記カメラの下ろし動作または上記カメラのタップ操作である。
【００１３】
第１３の発明に係わる撮影装置の電源制御方法は、画像データに基づいて被写体像を表示部に表示し、カメラの動きを検知し、上記表示部の観察位置から非観察位置への移動を検知した場合に、上記カメラの消費電力を低減する。
【００１４】
第１４の発明に係わる撮影装置の電源制御方法は、カメラの動きを検知し、上記動きの検知の結果、第１の動き動作が行われたことを検知した場合には、上記カメラの消費電力の第１の低減を行い、上記第１の動き動作に続いて、上記動き検知部第２の動き動作が検知された場合には、上記カメラの消費電力の第２の低減を行う。
【発明の効果】
【００１５】
本発明によれば、電源スイッチをオフとしなくても、直ちに、電源をオフとすることができる撮影装置および撮影装置の電源制御方法を提供することができる。
【図面の簡単な説明】
【００１６】
【図１】本発明の第１実施形態に係わるカメラの構成を示すブロック図である。
【図２】本発明の第１実施形態に係わるカメラにおける加速度検知部を説明する図であり、（ａ）は加速度検知センサの構造を示す斜視図であり、（ｂ）加速度検知部の配置を示す図であり、（ｃ）は加速度検知部によって軸周りの回転の検知を説明する図である。
【図３】本発明の第１実施形態に係わるカメラの光電センサ型のタッチパネルを説明する図であり、（ａ）はタッチパネルの断面図であり、（ｂ）は指でタッチした状態におけるタッチパネルの断面図である。
【図４】本発明の第１実施形態に係わるカメラにおいて、撮影終了後の電源オフの仕方について説明する図である。
【図５】本発明の第１実施形態に係わるカメラにおいて、撮影終了後の電源オフの他の仕方について説明する図である。
【図６】本発明の第１実施形態に係わるカメラにおいて、加速度検知部の検知信号を示す信号波形図である。
【図７】本発明の第１実施形態に係わるカメラのカメラオフの動作を示すフローチャートである。
【図８】本発明の第１実施形態に係わるカメラの「カメラを構えた？」のサブルーチンを説明する図であり、（ａ）はフローチャートであり、（ｂ）はカメラを構えた時の様子を示す図である。
【図９】本発明の第２実施形態に係わるカメラにおいて、撮影終了後の電源オフの仕方について説明する図である。
【図１０】本発明の第２実施形態に係わるカメラにおいて、加速度検知部の検知信号を示す信号波形図である。
【図１１】本発明の第２実施形態に係わるカメラのカメラオフの動作を示すフローチャートである。
【図１２】本発明の第３実施形態に係わるカメラにおいて、動画撮影時にひねり動作（スナップターン）で撮影を終了する場合の画像記録について説明する図である。
【図１３】本発明の第３実施形態に係わるカメラの動画撮影終了の動作を示すフローチャートである。
【発明を実施するための形態】
【００１７】
以下、図面に従って本発明を適用したデジタルカメラを用いて好ましい実施形態について説明する。図１は、本発明の第１実施形態に係わるカメラ１０の構成を示すブロック図である。カメラ１０は、画像処理及び制御部１、撮像部２、レンズバリア制御部２ａ、記録部４、加速度検知部５、ジャイロ７、操作判定部６、表示部８、タッチパネル８ｂ、時計部９を有している。
【００１８】
撮像部２は、撮影光学系によって形成された被写体像を光電変換する撮像素子を有し、画像データを画像処理及び制御部１等に出力する。撮影光学系の前面側には電動で駆動されるレンズバリアが配置されており、このレンズバリアは、レンズバリア制御部２ａによって開閉制御がなされる。画像処理及び制御部１は、撮像部２から出力される画像データの画像処理を行う。また、画像処理及び制御部１は、予め記憶部（不図示）に格納されたプログラムに従って、カメラ１０全体の制御を行う。なお、画像処理としては、静止画画像処理および動画画像処理が可能である。
【００１９】
画像処理及び制御部１内には、第１電源制御部１ａ、第２電源制御部１ｂ、第３電源制御部１ｃが設けられている。第１電源制御部１ａは、バックライト等を有し消費電力の最も大きい表示部８への電源供給を制御する。第２電源制御部１ｂは、次に消費電力の大きい撮像部２およびレンズバリア制御部２ａ等を含む撮像系への電源供給を制御する。第３電源制御部１ｃは加速度検知部５やジャイロ７への電源供給を制御する。加速度検知部５等には、第３電源制御部１ｃは、間欠的に電源供給を行う場合と、連続的に電源供給を行う場合に切り替えて制御可能である。連続的に電源供給することにより、より細かい振動が検出可能である。
【００２０】
加速度検知部５は、カメラ１０に加えられた加速度を検出する。加速度検知部５は、カメラ１０の長手方向、これと直交する方向等を検出するために、４か所に配置され、それぞれで加速度を検知する。この検知された加速度によってカメラ１０の振動を検知し、図示しない防振機構によって撮像部２における手ぶれ防止を行う。また、加速度の検知結果を用いて、後述するように、電源制御の際に用いる。またカメラ１０がしっかり保持されているか否かの判定の際に利用する。さらに、加速度検知部５は、加速度以外にも、重力の方向が検知可能であり、カメラ１０が縦構図か横構図に位置しているかの判定に利用することができる。加速度検知部５の詳細については、図２を用いて後述する。
【００２１】
ジャイロ７は、カメラ１０に加えられた角加速度を検出する。この角加速度に基づいて、カメラ１０の長手方向の軸周りや、これと直交する２方向の軸周りの回動を判定する。なお、本実施形態においては、加速度検知部５の検知出力のみで足りることから、ジャイロ７を省略しても良い。また、ジャイロ７を搭載し、加速度検知部５を省略するようにしても良い。加速度検知部３の構造については、図２を用いて後述する。
【００２２】
操作判定部６は、カメラ１０に設けられたレリーズ釦、ズーム釦、再生釦、メニュー釦等の操作部材の操作状態を判定する。メニューモードにおいては、種々のモード、例えば、動画撮影モード、静止画撮影モード等を設定可能である。時計部９は、日時情報を出力する。記録部４は、画像データを記録する記録媒体である。画像処理及び制御部１は、操作判定部６によって撮影指示の操作がなされたことを判定すると、画像データとこの画像データに関連付けて撮影日時情報を記録部４に記録する。撮影日時に基づいて画像管理を可能とするためである。
【００２３】
表示部８は、カメラ１０の背面等に配置された、液晶モニタ等の表示装置で構成される。また、表示部８は、撮像部２からの画像データに基づいて、被写体像を動画でライブビュー表示したり、また記録部４に記録されている撮影画像を再生可能である。表示部８の表面には、タッチパネル８ｂが配置されており、撮影者の指等のタッチを検出可能である。メニューモードに設定されると、表示部８にはメニュー画面が表示され、表示されているメニュー、例えば、動画撮影、静止画撮影等をタッチすることにより設定可能である。また、再生モードが選択された場合には、一覧表示された撮影画像の中から、希望する画像をタッチすることにより、拡大して表示することも可能である。タッチパネル８ｂの詳細は、図３を用いて後述する。
【００２４】
次に、カメラ１０に加えられた加速度を検出する加速度検知部５について図２を用いて説明する。加速度センサ５０は、図２（ａ）に示すように、チップ表面の金属部５２と、架橋された金属部５１から構成されている。金属部５１は、４つの基点５１ａとこの基点５１ａによって保持されるＨ形状をした架橋部５１ｂと、金属部５２と対向する検知部５１ｃとから構成される。加速度センサ５０は、検知部５１ｃと金属部５２で構成されるコンデンサの容量を検知する。図２中の矢印Ａの方向に金属部５１が移動すると、コンデンサの容量が変化することから、この変化量を求めることにより、矢印Ａ方向の加速度を検知することができる。
【００２５】
前述の加速度センサ５０は、図２（ｂ）に示すように、カメラ１０に４か所配置される。すなわち、カメラ１０の長手方向（Ｘ方向）の加速度を検知する加速度センサ５０ａ、カメラ１０の長手方向と直交する（Ｙ方向）の加速度を検知する加速度センサ５０ｂ、カメラ１０の左側であって光軸方向（ＺＬ方向）の加速度を検知する加速度センサ５０ｃ、カメラ１０の右側であって光軸方向（ＺＲ方向）の加速度を検知する加速度センサ５０ｄが配置され、それぞれの方向に沿っての加速度を検知する。
【００２６】
加速度センサ５０ｃ、５０ｄにより、カメラ１０の長手方向と直交するＹ方向の軸周りの角加速度を検知することができる。今、カメラ１０の右側のＹ方向の軸を中心に、カメラ１０が回動する場合を考える。この場合、ＺＲ方向の加速度を検知する加速度センサ５０ｄの出力と、ＺＬ方向の加速度を検知する加速度センサ５０ｃの出力を比較すると、図２（ｃ）に示すように、ＺＬ方向の加速度センサ５０ｃの出力の方が大きい。したがって、加速度センサ５０ｃと加速度センサ５０ｄの検知された加速度の大きさを比較することにより、回動方向とそのときの角加速度を求めることができる。なお、図２（ｃ）に示した例は、右利き用にレリーズ釦を配置した場合であり、左利き用にレリーズ釦を配置すると、ＺＬを回動中心となるように軸を取れば良い。
【００２７】
次に、タッチパネル８ｂの構造を、図３に示す。このタッチパネル８ｂは、光電センサ型タッチパネルである。このタッチパネル８ｂは、図３（ａ）に示すように、液晶８０内に光センサ８０ｂが所定の間隔で２次元的に配列されており、液晶８０の背面にはバックライト８０ａが設けられている。なお、この光電センサ型のタッチパネルは、液晶上に配置されるのではなく、液晶内に一体に組み込まれる。タッチパネルとしては、光電センサ型以外にも、抵抗膜方式等、他のタッチパネルを用いても良い。
【００２８】
ユーザの指８１がタッチパネル８ｂに近づくと、図３（ｂ）に示すように、バックライト８０ａからの光が、指８１によって反射され、光センサ８０ｂによって検出される。いずれの光センサ８０ｂが指８１からの反射光を検出したかによって、タッチ位置を検出することができる。
【００２９】
次に、本実施形態における撮影終了後の電源オフの仕方について、図４を用いて説明する。図４（ａ）〜（ｃ）は、撮影者１５がカメラ１０の電源オフを行う際の動作を横から見た図であり、図４（ｄ）（ｅ）は撮影者１５を上から見た図であり、図（ｆ）は電源オフした際のカメラ１０の様子を示す外観斜視図である。なお、図４（ａ）〜（ｃ）の円形内は、カメラ１０を横から見た場合の拡大図である。
【００３０】
図４（ａ）（ｄ）は、撮影時を示す。この状態では、撮影者１５は、カメラ１０を構えており、カメラ１０の背面に設けられた表示部８は撮影者１５の側を向き、カメラ１０の撮像部２の撮影光学系は前方（図中矢印の方向）を向いている。この状態からカメラ１０の電源をオフするには、図４（ｂ）（ｅ）に示すように、表示部８が外側を向くようにカメラ１０をほぼ９０度ひねる動作を行う。この状態では、撮影者１５は表示部８を殆ど観察することができない。
【００３１】
このひねり動作（スナップターン）は、表示部８を観察することができないことから、通常、行われることがなく、電源オフのための特別な動作として扱うことができる。したがって、本実施形態においては、ひねり動作（スナップターン）を行ったことを検知した場合には、電源オフのための処理を行うようにしている。
【００３２】
さらに、本実施形態においては、ひねり動作のみならず、図４（ｃ）に示すようなカメラ１０の下ろし動作も判定材料としている。すなわち、ひねり動作を行った後、さらに、カメラ１０を下ろす動作を行ったことを検知した場合には、電力消費をさらに低下させる電源オフのための処理を行うようにしている。電源オフ処理を行うと、図４（ｆ）に示すように、レンズバリア２ａの閉じ動作を行う。
【００３３】
このように、本実施形態においては、カメラ１０のひねり動作（スナップターン）を行うと、電源オフ処理を行うが、ひねり動作としては、図４に示したような、カメラ１０の表示部８を外側に向ける以外に、内側に向けるようにしても良い。このひねり動作について図５を用いて説明する。
【００３４】
図５（ａ）〜（ｃ）は、撮影者１５がカメラ１０の電源オフを行う際の動作を横から見た図であり、図５（ｄ）（ｅ）は上から見た図である。図５（ａ）（ｄ）は、撮影時であり、この状態では、図４（ａ）（ｄ）の場合と同様、撮影者１５は、カメラ１０を構えており、表示部８は撮影者１５の側を向き、カメラ１０の撮像部２の撮影光学系は前方（図中矢印の方向）を向いている。
【００３５】
この撮影時の状態からカメラ１０の電源をオフするには、図５（ｂ）（ｅ）に示すように、表示部８が内側を向くようにカメラ１０をほぼ９０度ひねる動作を行う。この状態では、撮影者１５は表示部８を殆ど観察することができない。このひねり動作を検知した場合に、図４の場合と同様、電源オフ処理を行う。また、図５（ｃ）に示すように、カメラ１０の下ろし動作を行った場合には、電力消費をさらに低下させる電源オフ処理を行う。
【００３６】
ひねり動作と下ろし動作を行う場合における、加速度検知部５の検知信号について、図６を用いて説明する。図６において、横軸は時間を示し、縦軸は、Ｘ方向（加速度センサ５０ａ）、Ｙ方向（加速度センサ５０ｂ）、ＺＬ方向（加速度センサ５０ｃ）、ＺＲ方向（加速度センサ５０ｄ）の検知出力を表す。今、カメラ１０の長手方向が重力方向と直交する方向に構えているとする。この状態において撮影時には、Ｙ方向（加速度センサ５０ｂ）に重力分だけ加速度が発生する他は、手振れ相当の振動があるものの、略ゼロ出力である。
【００３７】
レリーズ動作時には、Ｙ方向が少し変化し、操作終了を行うために、撮影者１５がカメラ１０に対してひねり動作（スナップターン）を行うと、カメラ１０が加速度センサ５０ｄを通る軸周りに回動することから、ＺＲ方向（加速度センサ５０ｄ）の検知出力がＺＬ方向（加速度センサ５０ｃ）に比較して大きく変化する。ひねり動作（スナップターン）が終了後、撮影者がカメラ１０を下ろすと（下ろし動作）、Ｙ方向（加速度センサ５０ｂ）の検知出力がゼロ近傍まで下がる。
【００３８】
このように、本実施形態においては、ＺＬ方向とＺＲ方向のそれぞれの加速度センサ５０ｃ、５０ｄの検知信号の大きさを比較することにより、カメラ１０のひねり動作（スナップターン）が行われたか否かを判定することができる。また、Ｙ方向の加速度センサ５０ｂの検知信号の変化を検出することにより、カメラ１０の下ろし動作が行われたか否かの判定を行うことができる。
【００３９】
次に、本実施形態における動作を図７に示したフローチャートを用いて説明する。図７に示すフローに入ると、まず、撮影動作を行う（Ｓ１０１）。この撮影動作のフローにおいては、撮像部２において取得した画像データに基づいて、被写体像を表示部８に表示し、レリーズ釦が操作されると、画像データを記録部４に記録等を実行する。これ以外にも、再生釦が操作された場合には、記録部４に記録されている画像データを読み出し、表示部８に再生表示する。
【００４０】
撮影動作を行うと、次に、加速度検出を行う（Ｓ１０２）。このステップでは、加速度検知部５において、加速度センサ５０ａ〜５０ｄの検知出力を取得する。続いて、取得した加速度検知部５の検知結果のうち、加速度センサ５０ｃのＺＬ方向の検知信号と、加速度センサ５０ｄのＺＲ方向の検知信号を比較し、ＺＬがＺＲより十分大きいか否かの判定を行う（Ｓ１０３）。図２（ｃ）において説明したように、右利き用にレリーズ釦を配置している場合には、ひねり動作（スナップターン）を行うと、ＺＬがＺＲよりはるかに大きくなるので、このステップでは、ひねり動作が行われたか否かの判定を行うことになる。なお、「十分に大きい」とは、ひねり動作が行われたか否かを判定できる程度のレベルであれば良い。
【００４１】
ステップＳ１０３における判定の結果、ＺＬ変化がＺＲ変化に比較し、十分大きくなかった場合には、ステップＳ１０１に戻り、撮影動作を実行する。すなわち、電源オフ処理を行わず、パワーオン状態を保持する。一方、ステップＳ１０３における判定の結果、ＺＬ変換がＺＲ変化に比較し十分大きかった場合には、次に、表示素子をオフし電子音で発音表示を行う（Ｓ１０４）。前述したように、ＺＬ変化がＺＲ変化よりも十分大きい場合には、ひねり動作（スナップターン）を行った場合であり、この場合には、電源オフのための処理を行う。ここでは、第１電源制御部１ａによって、一番、電源消費の大きい表示部８の電源供給を停止し（電力減１）、また、このことを撮影者に知らせるためにブザー等の発音部材（不図示）によって発音表示を行う。表示部８が表示を停止していることから、音で撮影者に告知している。
【００４２】
表示素子オフ等を行うと、次に、Ｙ方向重力有りから無しに変化したか否かを判定する（Ｓ１０５）。このステップでは、Ｙ方向（加速度センサ５０ｂ）の加速度検知部５の検知結果を取得し、Ｙ方向の検知が重力相当の検知出力がほぼゼロに変化したか否かを判定する。カメラ１０を横構図で構えている場合には、Ｙ方向に重力相当の加速度がかかり、カメラ１０を下ろすことにより、この加速度が略ゼロになる。また、カメラ１０を縦構図で構えている場合でも、一旦横構図の位置に代えてから、図４（ａ）→（ｂ）→（ｃ）の順に動作する場合が多いことから、横構図の場合と同様の変化を示す場合が多い。
【００４３】
ステップＳ１０５における判定の結果、変化がなかった場合には、カメラ１０を下ろした状態ではないことから、次に、ステップＳ１０３と同様に、ＺＬ変化がＺＲ変化より十分大きいか否かの判定を行う（Ｓ１０６）。この判定の結果、ＺＬ変化がＺＲ変化よりも十分大きかった場合には、ステップＳ１０１に戻る。この場合には、再度、ひねり動作（スナップターン）が行われた場合であり、撮影者が再び、表示部８を見るためにひねり動作を行ったと考えられることから、撮影ができるようにステップＳ１０１に戻している。
【００４４】
ステップＳ１０６における判定の結果、ＺＬ変化がＺＲ変化よりも十分大きくなかった場合には、次に、暗いか否かの判定を行う（Ｓ１０７）。このステップでは、撮像部２からの画像データを用いて、周囲が暗いか否かの判定を行う。この判定の結果、暗くなかった場合には、ステップＳ１０５に戻る。この場合には、ひねり動作（スナップターン）が行われた状態のままであり、このあと、下ろし動作が行われるか否かを判定するためにステップＳ１０５に戻している。
【００４５】
ステップＳ１０７における判定の結果、暗かった場合には、またはステップＳ１０５にける判定の結果、Ｙ方向重力有りから無しに変化した場合には、バリアを閉じ、撮影像系をオフする（Ｓ１１１）。このステップでは、レンズバリア制御部２ａによってレンズバリアを閉じ、また、第２電源制御部１ｂによって、撮像部２等の撮影系への電源供給を停止する（電力減２）。
【００４６】
すなわち、ステップ１０５において、Ｙ方向重力有りから無しに変化した場合には、カメラ１０を構えた状態でひねり動作（スナップターン）を行い、さらにカメラ１０を下ろした状態であることから、撮影状態から不使用状態にしたといえる状況であることから、さらに電力消費を低下させている。また、ステップＳ１０７において暗いと判定された場合には、カメラ１０を下ろすことなく、そのままカバン等の中に入れた状態であることから、この場合も撮影状態から不使用状態にしたといえる状況であることから、レンズバリアを閉じ、さらに電力消費を低下させている。
【００４７】
ステップＳ１１１において、バリア閉じ・撮像系オフを実行し電力減２の状態にすると、次に、カメラを構えているか否かの判定を行う（Ｓ１１２）。ここでは、カメラ１０を縦または横構図で所定時間の間、しっかり保持しているか否かの判定し、この結果に基づいて、カメラ１０を構えているか否かを判定している。このカメラを構えているか否かの判定の詳細については、図８を用いて後述する。
【００４８】
ステップＳ１１２における判定の結果、カメラを構えていた場合には、一旦、カメラを下げたか暗い場所においたものの、再度、カメラ１０を構えて撮影する意図があることから、ステップＳ１０１に戻す。一方、判定の結果、カメラを構えていなかった場合には、次に、所定時間が経過したか否かの判定を行う（Ｓ１１３）。この判定の結果、所定時間が経過していなかった場合には、ステップＳ１１２に戻る。
【００４９】
ステップＳ１１３における判定の結果、所定時間が経過すると、タッチ検出・加速度検知の回数を減少させる（Ｓ１１４）。電力減２の状態では、電力消費を相当低下させているが、所定時間が経過すると、第３電源制御部１ｃによって、タッチパネル８ｂや加速度検知部５における加速度検出を間欠的に行うようにする。このため、タッチパネル８ｂがタッチされる等によって、再度、撮影状態とすることができる。
【００５０】
このようにカメラオフのフローにおいては、ひねり動作（スナップターン）が行われると、第１電源制御部１ａによって消費電力の低下を行っている。そして、このあと、下ろし動作が行われると、第２電源制御部１ｂによってさらに消費電力の低下を行っている。さらに、カメラを構えない状態で所定時間が経過すると、第３電源制御部１ｃによって殆ど消費電力が消費されない状態にしている。ただ、第１電源制御部１ａによって消費電力を低下させた後に、再度、ひねり動作（スナップターン）を行うような場合には、電源を復帰させている。また、第１電源制御部１ａによって消費電力を低下させた後に、下ろし動作が行われない場合でも、周囲が暗くなれば、第２電源制御部１ｂによってさらに消費電力を低下させている。
【００５１】
次に、ステップＳ１１２におけるカメラを構えたか否かの判定について、図８を用いて説明する。図８（ａ）に示すフローに入ると、まず、横構図か否かを判定し（Ｓ２０１）、横構図でなかった場合には、縦構図か否かの判定を行う（Ｓ２０２）。横構図か縦構図かは、加速度検知部５の出力に基づいて判定する。なお、加速度検知部５以外にも、例えば、重力検知器等を設けて、この出力で判定するようにしても良い。
【００５２】
ステップＳ２０１またはステップＳ２０２において、Ｙｅｓと判定された場合、すなわち、横構図か縦構図であった場合には、次に、１秒間振動なしか否かの判定を行う（Ｓ２０３）。このステップでは、加速度検知部５の検知出力に基づいて、１秒間の間、振動がなかったか否かを判定する。なお、１秒間は例示であり、この時間は、これよりも長くても、短くても良く、カメラを正しく構えたといえる程度の時間の間、振動がなければ良い。
【００５３】
ステップＳ２０３における判定の結果、１秒間の間、振動がなければ、次に、所定位置をタッチしているか否かの判定を行う（Ｓ２０４）。このステップでは、タッチパネル８ｂよりの検知出力に基づいて判定する。横構図の場合には、図８（ｂ）に示すように、右上を保持されることから、この部分に対応する検知出力があるか否かを判定する。また、縦構図の場合にも、この部分を保持されるので、同様にタッチパネル８ｂの検知出力に基づいて判定する。
【００５４】
ステップＳ２０４における判定の結果、所定位置がタッチされていた場合には、Ｙｅｓ判定とする。すなわち、この場合には、横構図または縦構図で所定時間の間、振動がなく、撮影者が所定位置を把持していることから、カメラを正しく構えたと判定される。一方、ステップＳ２０２における判定の結果、横構図でも縦構図でなかった場合、またはステップＳ２０３において、振動があった場合、またはステップＳ２０４における判定の結果、所定位置をタッチしていなかった場合には、Ｎｏ判定とする。この場合は、カメラを正しく構えている状態でない。
【００５５】
このように、図８（ａ）に示すフローでは、カメラをしっかりと保持して構えているか否かを判定することができる。前述したように、カメラオフのフローでは、カメラを構えていた場合には、ステップＳ１０１に戻り、撮影動作を再開する。
【００５６】
このように、本発明の第１実施形態においては、普通に行われないようなカメラ動作を行った場合に、電源オフの処理を行うようにしている。電源スイッチをオフとしなくても、２動作（すなわち、ひねり動作と下ろし動作）で、直ちに、電源をオフとすることができる。さらに、電力消費は、動作毎に低下させており、誤って電源オフ処理を行った場合であっても、簡単に電源オン状態に復帰することができる。
【００５７】
次に、本発明の第２実施形態について、図９乃至図１１を用いて説明する。第１実施形態においては、カメラ１０を回動させたり、下ろしたりしたときの動きを検出していた。これに対して、第２実施形態においては、カメラ１０を頭にぶつける等の衝突の際の衝撃を利用して、電源オフ処理を行うにしている。第２実施形態における構成は、図１と同様であることから、詳しい説明は省略する。
【００５８】
第２実施形態における電源オフの仕方について、図９を用いて説明する。図９（ａ）〜（ｃ）は、撮影者を横から見た図であり、（ａ）は撮影時を示し、（ｂ）（ｃ）は電源オフ時を示す。撮影時では、図４（ａ）、図５（ａ）と同じく、カメラ１０の表示部８は撮影者１５の方を向いており、撮影光学系はこれと反対の方向を向いている。この状態から、電源オフを行う場合には、図９（ｂ）に示すように、まず、ひねり動作（スナップターン）を行い、続いて、図９（ｃ）に示すように、カメラ１０を撮影者１５の頭にぶつけるタップ操作を行う。カメラ１０を頭でタップすることにより、加速度検知部５の検知出力に鋭い変化が発生し、この急峻な変化を検出した場合には、電源オフ処理を実行すればよい。
【００５９】
次に、ひねり動作とタップ動作を行う場合における、加速度検知部５の検知信号について、図９を用いて説明する。図６の場合と同様、横軸は時間を示し、縦軸は、Ｘ方向（加速度センサ５０ａ）、Ｙ方向（加速度センサ５０ｂ）、ＺＬ方向（加速度センサ５０ｃ）、ＺＲ方向（加速度センサ５０ｄ）の検知出力を表す。今、カメラ１０の長手方向が重力方向と直交する方向に構えているとする。撮影時、レリーズ時、およびひねり動作時の信号変化は第１実施形態と同様である。
【００６０】
ひねり動作（スナップターン）を行った後に、カメラ１０を頭にぶつける（タップ操作）と、図１０に示すように、Ｙ方向（加速度センサ５０ｂ）は大きな変化はないが、Ｘ方向（加速度センサ５０ａ）は、一度プラス側に大きな値となった後、マイナス側に大きな値をとり、ゼロ近傍の値となる。タップ操作時の加速度センサ５０ａの変化の周波数は５０〜１００Ｈｚと急峻な変化であることから、撮影者１５の動作と区別がつきやすく、誤作動し難くなる。
【００６１】
次に、本発明の第２実施形態における動作を図１１に示したフローチャートを用いて説明する。図１１に示すフローに入ると、ステップＳ１０１〜Ｓ１０４までの処理は、図７に示した第１実施形態のフローと同様であるので、詳しい説明は省略する。ステップＳ１０４において、表示素子をオフし、電子音で告知すると（電力減１）、次に、Ｘ方向タップ操作がなされたか否かの判定を行う（Ｓ１３１）。このステップでは、Ｘ方向の加速度センサ５０ａの検知出力を取得し、図９に示すようなタップ操作時の急峻な変化があったか否かの判定を行う。
【００６２】
ステップＳ１３１における判定の結果、Ｘ方向タップ操作がなかった場合には、次に顔検知を行う（Ｓ１３５）。ここでは、撮像部２からの画像データに基づいて、画像処理および制御部１が、被写体像の中に顔が含まれているか否かを判定する。撮影者がタップ操作を行わずに、自分の顔等、顔の含まれる画像を撮影する場合を考慮してこのような判定を行っている。特に、自分撮り（撮影者自らの顔の撮影）を行う場合には、一旦カメラ１０の撮影光学系を撮影者の方に向け、この動きをひねり動作と誤検出することを防止するためにこのような顔検知を行っている。
【００６３】
ステップＳ１３５における顔検知の結果、顔検知しなかった場合には、ステップＳ１３１に戻る。一方、顔検知した場合には、撮影者は顔の含まれる画像を撮影する意図を有することから、ステップＳ１０１に戻り、撮影動作を行う。
【００６４】
ステップＳ１３１における判定の結果、Ｘ方向タップ操作がなされた場合には、次に、バリアを閉じ、撮像部をオフとする（Ｓ１３２）。ここでは、ステップＳ１１１と同様に、レンズバリア制御部２ａによってレンズバリアを閉じ、また、第２電源制御部１ｂによって、撮像部２等の撮影系への電源供給を停止する（電力減２）。
【００６５】
バリアの閉じ動作と、撮像部のオフを行うと、次に、カメラ構え状態が所定時間ないか否かの判定を行う（Ｓ１３３）。ここでは、ステップＳ１１２、Ｓ１１３と同様な処理を行い、所定時間の間、カメラを構えていないか否かの判定を行う。カメラを構えていた場合には、撮影を行うことから、ステップＳ１０１に戻る。一方、所定時間、カメラを構えていなかった場合には、ステップＳ１１４と同様に、タッチ検出および加速度検知の回数を減少させる（Ｓ１３４）。これによって、電力消費を更に低下させる。
【００６６】
このように、本発明の第２実施形態においても、普通に行われないようなカメラ動作を行った場合に、電源オフの処理を行うようにしている。電源スイッチをオフとしなくても、２動作（すなわち、ひねり動作とタップ操作）で、直ちに、電源をオフとすることができる。タップ操作は、ひねり動作（スナップターン）や下ろし動作に比較すると、急峻な変化であることから、一般的な動作の場合と区別することが容易であり、誤動作が少ない。また、スキー用グローブ等をはめている場合等、電源スイッチを操作し難い場合でも、簡単に電源オフとすることができる。
【００６７】
次に、本発明の第３実施形態について、図１２および図１３を用いて説明する。本実施形態は、動画撮影時にひねり動作（スナップターン）によって電源オフする際に発生する画像の乱れを防止するようにしている。
【００６８】
図１２（ａ）〜（ｃ）に示すように、動画撮影している際に、ひねり動作（スナップターン）によって電源オフすると、図１２（ｄ）に示すように、ひねり動作（スナップターン）時に画像の乱れが発生する。そこで、本実施形態においては、図１２（ｄ）に示すような乱れた画像を消去し、代わりに図１２（ｅ）に示すような画像に置き換えている。
【００６９】
本実施形態の構成は、図１と同様であることから、詳しい説明は省略する。動画撮影時に電源をオフする際のフローチャートとして、図１３に示すフローチャートを実行する。この図１３に示す動画撮影終了のフローに入ると、図７に示す第１実施形態のフローと同様に、まず、撮影動作を実行し（Ｓ１０１）、加速度を検出する（Ｓ１０２）。続いて、取得した加速度検知部５の検知結果のうち、加速度センサ５０ｃのＺＬ方向の検知信号と、加速度センサ５０ｄのＺＲ方向の検知信号を比較し、ＺＬがＺＲより十分大きいか否かの判定を行う（Ｓ１０３）。
【００７０】
ステップＳ１０３における判定の結果、ＺＬ変化がＺＲ変化に比較し、十分大きくなかった場合には、ステップＳ１０１に戻り、撮影動作を実行する。すなわち、電源オフ処理を行わず、パワーオン状態を保持する。一方、ステップＳ１０３における判定の結果、ＺＬ変換がＺＲ変化に比較し十分大きかった場合には、次に、動画の撮影を終了し、撮像動作と表示をオフする（Ｓ１０４ｂ）。ステップＳ１０３において、ひねり動作（スナップターン）がなされたことを検出したことから、このステップでは直ちに、動画撮影のための処理を行う。
【００７１】
続いて、ＺＬ変化中の画像の消去を行う（Ｓ１０４ｃ）。ここでは、動画撮影時にひねり動作（スナップターン）を行った際に発生する、図１２（ｄ）に示すような乱れのある画像を消去する。
【００７２】
次に、消去した部分に、別画像（エンディング）を差し替える（Ｓ１０４ｄ）。差し替え用の別画像としては、ひねり動作（スナップターン）を行った際に撮影されていた被写体の個人認証結果に基づいて行う。この個人認証は、カメラ１０のメモリに記憶されているデータベースに基づいて処理すれば良い。このように乱れを消去して個人画像に差し替えた動画を記録部４に記録する。これによって、図１２（ｅ）に示すように、最後に撮影されていた被写体の個人画像を表示することができるので、唐突な撮影終了とはならない。
【００７３】
このように、第３実施形態においても、普通に行われないようなカメラ動作（ここでは、ひねり動作）を行った場合に、電源オフの処理を行うようにしている。また、動画撮影時に発生する画像の乱れを、除去している。なお、本実施形態においては、ひねり動作のみであったが、タップ操作を加えるようにしても勿論かまわない。また、乱れた画像を消去した後、個人画像を表示するようにしていたが、乱れた画像の消去のみでも勿論かまわない。
【００７４】
以上説明したように、本発明の各実施形態においては、ひねり動作（スナップターン）のような普通に行われない動作を検出すると、カメラの電源をオフする電源制御部を有している。このため、電源スイッチをオフとしなくても、直ちに、電源をオフとすることができる。
【００７５】
また、本発明の各実施形態においては、ひねり動作（スナップターン）のような普通に行われない動作を検知した後に、加速度検知部によって特定方向の加速度を検知した際に、カメラの電源をオフにしている。このため、２段階の動作で電源をオフとしていることから、誤動作を防止することができる。また、２段階の動作を続けて行うことが簡単であり、直ちに電源オフとすることができる。
【００７６】
さらに、本発明の各実施形態においては、ひねり動作（スナップターン）のような第１の動きが行われると第１電源制御部によって電力減１による電源オフを行い、下ろし動作やタップ操作のような第２の動きが行われると第２電源制御部によって電力減２による電源オフを行っている。このため、第１の動きの後でも、電源オンとすることが容易である。
【００７７】
なお、本発明の各実施形態においては、ひねり動作（スナップターン）を行った後に、下ろし動作またはタップ操作を行った場合には、電力減２の状態とし、ほぼ電源オフの状態にしていた。しかし、ひねり動作を行った時点で、ほぼ電源オフの状態としても良い。
【００７８】
また、本発明の各実施形態においては、電力減１の状態は、表示部への電源停止であり、電力減２の状態は撮像系への電源停止であった。しかし、電力減１や電力減２等において、いずれのセクションに電源を停止するかは、各撮影システムの電力消費状態を勘案して適宜、選択すれば良い。さらに、電力減３においては、タッチ検出によって電源オン状態としていたが、この電力減３を省略し、通常のスリープモードとしても良い。
【００７９】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【００８０】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００８１】
１・・・画像処理及び制御部、１ａ・・・第１電源制御部、１ｂ・・・第２電源制御部、１ｃ・・・第３電源制御部、２・・・撮像部、２ａ・・・レンズバリア制御部、４・・・記録部、５・・・加速度検知部、６・・・操作判定部、７・・・ジャイロ、８・・・表示部、８ｂ・・・タッチパネル、９・・・時計部、１０・・・カメラ、１５・・・撮影者、５０・・・加速度センサ、５０ａ〜５０ｄ・・・加速度センサ、５１・・・金属部、５１ａ・・・基点、５１ｂ・・・架橋部、５１ｃ・・・検知部、５２・・・金属部、５５・・・角加速度センサ、８０・・・液晶、８０ａ・・・バックライト、８０ｂ・・・光センサ、８１・・・指
【図１】
2010245732.tif 000003
【図２】
2010245732.tif 000004
【図３】
2010245732.tif 000005
【図４】
2010245732.tif 000006
【図５】
2010245732.tif 000007
【図６】
2010245732.tif 000008
【図７】
2010245732.tif 000009
【図８】
2010245732.tif 000010
【図９】
2010245732.tif 000011
【図１０】
2010245732.tif 000012
【図１１】
2010245732.tif 000013
【図１２】
2010245732.tif 000014
【図１３】
2010245732.tif 000015